(57)【要約】【課題】振動や熱衝撃に強く且つ構造の簡単なノイズ吸収装置の提供。【解決手段】固定部材８の外周倣い部８１はケース２を周方向に環装し保持する。第１平板部８２は、ノイズ吸収装置１が実装基板上に実装されたときに実装基板の表面と略平行をなす。第２平板部８３は第１平板部８２と略平行をなす。第１平板部８２には第１貫通孔８２ａが形成されている。第２平板部８３には第１貫通孔８２ａと略同軸的な位置関係をなし第１貫通孔８２ａよりも径の小さな第２貫通孔８３ａが形成されている。第１平板部８２の他端８２Ｂ部分には略コの字状の係止部８４が設けられている。第１平板部８２には一対の軸方向延出部８５、８６が設けられており、その延出端にはノイズ吸収装置１の側方視においてケース２の半径方向内方へ略長方形状をなして突出する一端部凸部８７、他端部凸部８８がそれぞれ設けられている。【選択図】図１
2010153731.tif 000002
【特許請求の範囲】
【請求項１】
内部にケーブルを挿通可能なケーブル挿入通路が形成されたコアと、
該コアを内包するケースと、
該ケースを実装基板等に固定するための固定部材とを備え、
該固定部材は、金属製であり、該ケースの周面に倣って該ケースを環装し保持するように設けられた外周倣い部と、
該ケースの周方向における該外周倣い部の一端に接続され該実装基板の表面と略平行をなして対向可能であり、該実装基板の表面に垂直をなす方向へ貫通方向が指向する第１貫通孔が形成された第１平板部と、
該ケースの周方向における該外周倣い部の他端に接続され該第１平板部と略平行をなして対向配置され、該第１貫通孔と略同軸的な位置関係をなす第２貫通孔が形成された第２平板部とを有することを特徴とするノイズ吸収装置。
【請求項２】
該ケースの周方向における該外周倣い部の一端に接続された該第１平板部の一端部に対する他端部には、該ケースの周方向における該外周倣い部の他端に接続された該第２平板部の一端部に対する他端部を一時的に係止可能な係止部を有することを特徴とする請求項１記載のノイズ吸収装置。
【請求項３】
該ケースの軸方向における該固定部材の一端部には、該ケースの半径方向内方へ突出し該ケースの軸方向の一端部に当接可能な一端部凸部が設けられ、
該ケースの軸方向における該固定部材の他端部には、該ケースの半径方向内方へ突出し該ケースの軸方向の他端部に当接可能な他端部凸部が設けられていることを特徴とする請求項１又は請求項２記載のノイズ吸収装置。
【請求項４】
該コアは該ケースの軸心を含む平面で２分割可能な一対のコア部からなる半割状をなし、該一対のコア部は互いに接触して組合されることにより環状をなし内周面は該ケーブル挿入通路を画成し、
該ケースは該ケースの軸心を含む平面で２分割可能な一対のケース部からなり、該ケース部はそれぞれ該コア部を収容することを特徴とする請求項１乃至請求項３のいずれか一記載のノイズ吸収装置。
【請求項５】
該ケースの軸方向に垂直な面で切った該ケースの外形は円形をなすことを特徴とする請求項１乃至請求項４のいずれか一記載のノイズ吸収装置。
【請求項６】
該第１貫通孔、該第２貫通孔の貫通方向に垂直の面で切った断面はそれぞれ円形をなし、該第１貫通孔の直径は該第２貫通孔の直径より大きいことを特徴とする請求項１乃至請求項５のいずれか一記載のノイズ吸収装置。
【発明の詳細な説明】
【技術分野】
【０００１】
本発明はノイズ吸収装置に関し、特に電源ケーブルに装着されるノイズ吸収装置に関する。
【背景技術】
【０００２】
従来より、電子機器において、電源より発生されるノイズを除去するために、フェライトコアを備えたノイズ吸収装置が電源ケーブルに取り付けられている。具体的には貫通孔が形成されたフェライトコアの貫通孔内に電源ケーブルを挿通し、フェライトコアが電源ケーブルに対して動かないようにすると共に、コアの破損を防止するために樹脂等のケースでフェライトコアを覆っている。ノイズ吸収装置は、一般的には樹脂製の固定部材によって実装基板上に固定されて使用される。
【０００３】
より具体的には、ノイズ吸収装置や実装基板とは別体で設けられた固定部材たる樹脂製の固定台をノイズ吸収装置に係止させ、且つ実装基板に係止させることにより、固定台を介して実装基板にノイズ吸収装置を固定する。このようにして実装基板上に固定されるノイズ吸収装置は、例えば特許３０７５５５５号公報（特許文献１）に記載されている。
【特許文献１】特許３０７５５５５号公報
【発明の開示】
【発明が解決しようとする課題】
【０００４】
しかし、上述した従来のノイズ吸収装置では、固定部材が樹脂製であるため振動や熱衝撃に弱く、例えば車載用として用いることは困難であった。また、固定部材たる固定台をノイズ吸収装置に係止させる構成を採っていたため、ノイズ吸収装置に固定台を係止するための構造が複雑になっていた。
【０００５】
そこで、本発明は、振動や熱衝撃に強く且つ構造の簡単なノイズ吸収装置を提供することを目的とする。
【課題を解決するための手段】
【０００６】
上記課題を解決するために本発明は、内部にケーブルを挿通可能なケーブル挿入通路が形成されたコアと、該コアを内包するケースと、該ケースを実装基板等に固定するための固定部材とを備え、該固定部材は、金属製であり、該ケースの周面に倣って該ケースを環装し保持するように設けられた外周倣い部と、該ケースの周方向における該外周倣い部の一端に接続され該実装基板の表面と略平行をなして対向可能であり、該実装基板の表面に垂直をなす方向へ貫通方向が指向する第１貫通孔が形成された第１平板部と、該ケースの周方向における該外周倣い部の他端に接続され該第１平板部と略平行をなして対向配置され、該第１貫通孔と略同軸的な位置関係をなす第２貫通孔が形成された第２平板部とを有するノイズ吸収装置を提供している。
【０００７】
固定部材は金属製であるため、振動や熱衝撃に強い固定部材とすることができ、ノイズ吸収装置を車載用として用いることを可能とすることができる。
【０００８】
また、ケースの周面に倣ってケースを環装し保持するように設けられた外周倣い部と、ケースの周方向における外周倣い部の一端に接続され実装基板の表面と略平行をなして対向可能であり、実装基板の表面に垂直をなす方向へ貫通方向が指向する第１貫通孔が形成された第１平板部と、ケースの周方向における外周倣い部の他端に接続され第１平板部と略平行をなして対向配置され、第１貫通孔と略同軸的な位置関係をなす第２貫通孔が形成された第２平板部とを有するため、第１貫通孔及び第２貫通孔にネジを貫通させて、更に、実装基板に予め形成されたネジ穴にネジを螺合させることにより簡単に実装基板にノイズ吸収装置を固定することができる。従って、比較的構造の簡単な固定部材を有するノイズ吸収装置とすることができ、ノイズ吸収装置全体の構成を簡単にすることができる。
【０００９】
更に、ケースの周面に外周倣い部の内面が密着した状態のときに第１平板部と第２平板部との間に間隙が形成されるように設計することで、第１貫通孔及び第２貫通孔にネジを貫通させて、更に実装基板に予め形成されたネジ穴にネジを螺合させたときに、第１平板部と第２平板部との間の間隙がなくなるように第１平板部と第２平板部とが互いに引き寄せられることにより、外周倣い部がケースを締め付けて保持した状態とすることができる。
【００１０】
ここで、該ケースの周方向における該外周倣い部の一端に接続された該第１平板部の一端部に対する他端部には、該ケースの周方向における該外周倣い部の他端に接続された該第２平板部の一端部に対する他端部を一時的に係止可能な係止部を有することが好ましい。
【００１１】
ケースの周方向における外周倣い部の一端に接続された第１平板部の一端部に対する他端部には、ケースの周方向における外周倣い部の他端に接続された第２平板部の一端部に対する他端部を一時的に係止可能な係止部を有するため、第２平板部の他端部を第１平板部の他端部に係止しておくことで、ケースを固定部材によって保持しようとして固定部材に対して外部から力を作用させなくとも、固定部材からケースが脱落しない程度にケースを固定部材によって保持することができる。
【００１２】
また、該ケースの軸方向における該固定部材の一端部には、該ケースの半径方向内方へ突出し該ケースの軸方向の一端部に当接可能な一端部凸部が設けられ、該ケースの軸方向における該固定部材の他端部には、該ケースの半径方向内方へ突出し該ケースの軸方向の他端部に当接可能な他端部凸部が設けられていることが好ましい。
【００１３】
ケースの軸方向における固定部材の一端部には、ケースの半径方向内方へ突出しケースの軸方向の一端部に当接可能な一端部凸部が設けられ、ケースの軸方向における固定部材の他端部には、ケースの半径方向内方へ突出しケースの軸方向の他端部に当接可能な他端部凸部が設けられているため、一端部凸部にケースの軸方向の一端部が当接し、他端部凸部にケースの軸方向の他端部が当接することにより、ケースの軸方向における外周倣い部の所定の位置にケースを位置決めすることができる。従って、当該所定の位置からずれた位置でケースが外周倣い部に固定されてしまうことを防止することができる。
【００１４】
また、該コアは該ケースの軸心を含む平面で２分割可能な一対のコア部からなる半割状をなし、該一対のコア部は互いに接触して組合されることにより環状をなし内周面は該ケーブル挿入通路を画成し、該ケースは該ケースの軸心を含む平面で２分割可能な一対のケース部からなり、該ケース部はそれぞれ該コア部を収容することが好ましい。
【００１５】
コアはケースの軸心を含む平面で２分割可能な一対のコア部からなる半割状をなし、一対のコア部は互いに接触して組合されることにより環状をなし内周面はケーブル挿入通路を画成し、ケースはケースの軸心を含む平面で２分割可能な一対のケース部からなり、ケース部はそれぞれコア部を収容するため、一対のケース部が互いに係止し合うようなケース部係止部が一対のケース部に設けられていた場合であって当該ケース部係止部が破損した場合であっても、固定部材によってケースが環装され保持されているため、一対のケース部が互いに外れて中に収容されているコア部が出てしまうことを防止することができる。
【００１６】
また、該ケースの軸方向に垂直な面で切った該ケースの外形は円形をなすことが好ましい。ケースの軸方向に垂直な面で切ったケースの外形は円形をなすため、振動や熱衝撃に強い構成とすることができる。
【００１７】
また、該第１貫通孔、該第２貫通孔の貫通方向に垂直の面で切った断面はそれぞれ円形をなし、該第１貫通孔の直径は該第２貫通孔の直径より大きいことが好ましい。
【００１８】
第１貫通孔、第２貫通孔の貫通方向に垂直の面で切った断面はそれぞれ円形をなし、第１貫通孔の直径は第２貫通孔の直径より大きいため、第１貫通孔の軸心位置と第２貫通孔の軸心位置とが若干ずれた場合であっても、第２貫通孔の軸方向から見た場合に第２貫通孔全体が第１貫通孔の一部と重なった状態を維持することができ、ネジを第１貫通孔及び第２貫通孔に容易に挿入することができる。
【発明の効果】
【００１９】
以上より本発明は、振動や熱衝撃に強く且つ構造の簡単なノイズ吸収装置を提供することができる。
【発明を実施するための最良の形態】
【００２０】
本発明の実施の形態によるノイズ吸収装置について図１乃至図９を参照しながら説明する。図１に示されるようにノイズ吸収装置１は、ケース２とコア５と固定部材８とにより構成されている。ケース２は、弾性を備えた樹脂を素材とする略円筒形状をなしており、ケース２の軸心を含む平面で半割り（２分割）可能なように一対の第一ケース部３、第二ケース部４から構成されている。第一ケース部３と第二ケース部４との間には、図４に示されるようにヒンジ２Ａ及びヒンジ２Ｂが設けられており、これらヒンジ２Ａ及びヒンジ２Ｂにより第一ケース部３と第二ケース部４とは一体をなしている。
【００２１】
第一ケース部３は、第一周壁部３Ａと、第一周壁部３Ａの軸方向の一端を塞ぐ第一端壁部３Ｂと、第一周壁部３Ａの軸方向の他端を塞ぐ第二端壁部３Ｃとから構成されている。以下、第一周壁部３Ａの一端から他端へと向かう方向（ケーブル挿通方向）、即ち第一端壁部３Ｂから第二端壁部３Ｃへと向かう方向をｘ軸方向と定義する。第一周壁部３Ａは、図５に示されるように、ｘ軸方向と略平行に延びる第一合わせ面３１Ａを端面として有する第一壁部３１と、第一合わせ面３１Ａと略平行に延びる第二合わせ面３２Ａを端面として有する第二壁部３２と、第一壁部３１と第二壁部３２とを繋ぐ第一底壁部３３とを備えている。第一合わせ面３１Ａと第二合わせ面３２Ａとは同一平面上に配置されている。第二壁部３２は、第二合わせ面３２Ａ位置でヒンジ２Ａ及びヒンジ２Ｂの一側部に一体をなして接続されており、ヒンジ２Ａ及びヒンジ２Ｂの他側部には第二ケース部４が一体をなして接続されている。第二ケース部４から第一ケース部３に向かう方向であってｘ軸方向と直交する方向をｙ軸方向と定義する。またｘ軸方向、ｙ軸方向それぞれに直交する方向をｚ軸方向と定義する。
【００２２】
第一端壁部３Ｂ及び第二端壁部３Ｃは円板を略半分に切断したような形状をなしており、第一端壁部３Ｂ及び第二端壁部３Ｃのｙ軸方向略中央部分には、それぞれ半円弧状の第一ケーブル挿通溝３ｂ及び第二ケーブル挿通溝３ｃが形成されている。
【００２３】
また第一周壁部３Ａは、図６に示されるｙ−ｚ断面において、第一壁部３１と第一底壁部３３と第二壁部３２とにより第一端壁部３Ｂ及び第二端壁部３Ｃの円周に沿った円弧状をなしている。図４及び図５に示されるように、第一壁部３１には、ｘ軸方向に並んで四角に切り取られた空間３１ｂ、３１ｃが形成されており、この空間３１ｂ、３１ｃ内に、第一底壁部３３側を基部とし、第一合わせ面３１Ａ側を自由端部とする第一支持片３１Ｂ、３１Ｃが設けられている。第一支持片３１Ｂ、３１Ｃの自由端部は、それぞれ第一合わせ面３１Ａに近接する位置まで延出されている。図６に示されるように、第一支持片３１Ｂ、３１Ｃの第一周壁部３Ａの内面と連続する面には、第一接触面３１Ｄ、３１Ｅが規定されている。またこれら第一支持片３１Ｂ、３１Ｃは、その自由端側が第一周壁部３Ａ内方に位置するように屈曲している。
【００２４】
図５に示されるように、第二壁部３２にも同様に、ｘ軸方向に並んで四角に切り取られたような空間３２ｂ、３２ｃが形成されており、この空間３２ｂ、３２ｃ内に、第一底壁部３３側を基部とし、第二合わせ面３２Ａ側を自由端部とする第二支持片３２Ｂ、３２Ｃが設けられている。第二支持片３２Ｂ、３２Ｃの自由端部は、それぞれ第二合わせ面３２Ａに近接する位置まで延出されている。図６に示されるように、第二支持片３２Ｂ、３２Ｃの第一周壁部３Ａの内面と連続する面には、第二接触面３２Ｄ、３２Ｅが規定されている。またこれら第二支持片３２Ｂ、３２Ｃは、その自由端側が第一周壁部３Ａ内方に位置するように屈曲している。
【００２５】
図５に示されるように、第一底壁部３３の中央部分には、ｘ軸方向に並んで第一コア押さえ片３３Ａ、３３Ｂが設けられている。第一コア押さえ片３３Ａ、３３Ｂは、それぞれ第一底壁部３３の一部が略Ｕの字状に切り取られたような切片により構成され、その切片が第一底壁部３３と繋がっている部分を基端として第一周壁部３Ａ内方に折り曲げられたような形状で構成されている。
【００２６】
また第一周壁部３Ａの部分であってｘ軸方向における第一コア押さえ片３３Ａ、３３Ｂの両端側位置には、それぞれ第一ケーブル保持部３４、及び第二ケーブル保持部３５が設けられている。
【００２７】
第一ケーブル保持部３４は、第一端壁部３Ｂ近傍の第一底壁部３３から略ｚ軸方向と略平行に延出する第一保持部第一腕部３４Ａと第一保持部第二腕部３４Ｂとにより構成されており、第一保持部第一腕部３４Ａと第一保持部第二腕部３４Ｂとの間に図示せぬケーブルを保持することができる。なお、第一保持部第一腕部３４Ａと第一保持部第二腕部３４Ｂとは、互いの中間位置を通るｚ−ｘ平面に関して面対称な構成となっている。
【００２８】
第二ケーブル保持部３５は、第一ケーブル保持部３４と同様に、第二端壁部３Ｃ近傍の第一底壁部３３から略ｚ軸方向に略平行に延出された第二保持部第一腕部３５Ａと第二保持部第二腕部３５Ｂとにより構成されている。
【００２９】
第一端壁部３Ｂの一部であって第一合わせ面３１Ａ近傍位置及び第二合わせ面３２Ａ近傍位置には、それぞれ第一コア保持部材３６Ａ、３６Ｂがｘ軸と平行に第一ケース部３内方に向かって延出して設けられている。第二端壁部３Ｃの一部であって第一合わせ面３１Ａ近傍位置及び第二合わせ面３２Ａ近傍位置にも、第一端壁部３Ｂと同様に第一コア保持部材３７Ａ、３７Ｂが、ｘ軸と平行に第一ケース部３内方に向かって延出して設けられている。
【００３０】
第一壁部３１の第一合わせ面３１Ａ位置には、ｚ軸方向に向けて延出する第一掛止片部３９Ａ、第二掛止片部３９Ｂが設けられており、第一掛止片部３９Ａ、第二掛止片部３９Ｂには、それぞれ第一掛止貫通孔３９ａ及び第二掛止貫通孔３９ｂが形成されている。また第一掛止片部３９Ａと第二掛止片部３９Ｂとの間の略中間部分には、第一合わせ面３１Ａより突出している凸部３９Ｃが設けられている。
【００３１】
第二ケース部４は、第二周壁部４Ａと、第二周壁部４Ａの一端を塞ぐ第三端壁部４Ｂと、第二周壁部４Ａの他端を塞ぐ第四端壁部４Ｃとから構成されており、ヒンジ２Ａ、２Ｂのｙ軸方向略中央を通るｚ−ｘ平面に対して第一ケース部３と略同じ構成を採る。従って、第二ケース部４の構成部品及び形状のうち、第一ケース部３に設けられている構成部品と同じ構成を採る部品及び形状、具体的には、第三壁部４１、第四壁部４２、第二底壁部４３、第三ケーブル挿通溝４ｂ、第四ケーブル挿通溝４ｃ、空間４１ｂ、４１ｃ、第三支持片４１Ｂ、４１Ｃ、第三接触面４１Ｄ、４１Ｅ、空間４２ｂ、４２ｃ、第四支持片４２Ｂ、４２Ｃ、第四接触面４２Ｄ、４２Ｅ、第二コア押さえ片４３Ａ、４３Ｂ、第三ケーブル保持部４４、第四ケーブル保持部４５、第二コア保持部材４６Ａ、４６Ｂ、及び第二コア保持部材４７Ａ、４７Ｂについては、これらに該当する第一ケース部３の構成部品及び形状と同一であるため説明を省略する。
【００３２】
図４に示されるように、第三壁部４２の第三合わせ面４１Ａ位置には、第一掛止貫通孔３９ａ及び第二掛止貫通孔３９ｂに掛止可能な第一掛止爪部４９Ａ、第二掛止爪部４９Ｂが設けられている。また第三合わせ面４１Ａであって第一掛止爪部４９Ａと第二掛止爪部４９Ｂとの略中間地点には、凸部３９Ｃが挿入可能な凹部４９ｃ（図５）が形成されている。以上のような構成の第一ケース部３には後述の第一コア６が収容され、第二ケース部４には後述の第二コア７が収容されるように構成されており、ケース２の軸方向に垂直な面で切ったケース２の外形は円形をなしている。
【００３３】
コア５は、図４に示されるように、略円筒状のフェライト基材をケース２の軸心を含む平面で直径方向に半割り（２分割）したような形状をなす第一コア６と第二コア７とから構成されている。
【００３４】
第一コア６は、半割りされた切断面である第一コア第一面６Ａと第一コア第二面６Ｂとを備え、第一コア第一面６Ａと第一コア第二面６Ｂとの間には、図示せぬケーブルが通る通路（ケーブル挿入通路）となる貫通孔の半分部分である第一コア溝６ａが形成されている。この第一コア溝６ａと後述の第二コア溝７ａと合わせられることにより、図示せぬケーブル挿入通路が形成される。第一コア第一面６Ａ、第一コア第二面６Ｂの貫通孔の貫通方向一端側には、それぞれ第一コア保持部材３６Ａ、３６Ｂと係合可能な第一切り欠き６１ａ、第二切り欠き６１ｂが形成されており、貫通孔方向他端側には、それぞれ第一コア保持部材３７Ａ、３７Ｃと係合可能な第三切り欠き６１ｃ及び第四切り欠き６１ｄが形成されている。また第一コア６の第一コア溝６ａの底部であって貫通孔の貫通方向一端側位置と他端側位置とには、第一コア６を第一ケース部３に装着した際に、第一ケーブル保持部３４、第二ケーブル保持部３５が挿入される空間となる第一凹部６ｂ及び第二凹部６ｃがそれぞれ形成されている。
【００３５】
第二コア７は、第一コア６と同一形状に構成されており、第二コア第一面７Ａ及び第二コア第二面７Ｂを備え、第二コア溝７ａが形成されている。第二コア第一面７Ａ、第二コア第二面７Ｂの貫通孔の貫通方向一端側には、第二コア保持部材４６Ａ、４６Ｂと係合可能な第一切り欠き７１ａ、第二切り欠き７１ｂがそれぞれ形成されており、第二コア第一面７Ａ、第二コア第二面７Ｂの貫通孔の貫通方向他端側には、第二コア保持部材４７Ａ、４７Ｂと係合可能な第三切り欠き７１ｃ、第四切り欠き７１ｄがそれぞれ形成されている。第二コア溝７ａの底部であって一端側位置と他端側位置とには、第三凹部７ｂ及び第四凹部７ｃが形成されている。
【００３６】
第一コア６及び第二コア７をケース２に装着したときには、第一コア６は、図７に示されるように第一ケース部３内に挿入され、第一ケーブル保持部３４、第二ケーブル保持部３５はそれぞれ第一凹部６ｂ及び第二凹部６ｃ内に入ると共に、第一コア保持部材３６Ａ、３６Ｂ及び第二コア保持部材３７Ａ、３７Ｂは、それぞれ第一切り欠き６１ａ、第二切り欠き６１ｂ、第三切り欠き６１ｃ、及び第四切り欠き６１ｄにおいて掛止される。また図８に示されるように、第一コア６の第一コア第一面６Ａと第一コア第二面６Ｂとは、第一合わせ面３１Ａ及び第二合わせ面３２Ａより突出した位置となる。
【００３７】
このとき、図８に示されるように、第一コア６は、第一コア押さえ片３３Ａ、３３Ｂによりｚ軸方向に付勢されている。よって、第一コア押さえ片３３Ａ、３３Ｂと第一コア保持部材３６Ａ、３６Ｂ及び第二コア保持部材３７Ａ、３７Ｂ（図５）とにより、第一コア６は、少なくともｚ軸方向において、第一ケース部３から外れてしまうことのないように保持される。
【００３８】
また図８に示されるように、第一コア６は、第一支持片３１Ｂ、３１Ｃと第二支持片３２Ｂ、３２Ｃとにより付勢されている。第一支持片３１Ｂ、３１Ｃと第二支持片３２Ｂ、３２Ｃとは、その自由端位置がそれぞれ第一合わせ面３１Ａ及び第二合わせ面３２Ａ近傍に位置するため、その付勢方向がそれぞれ少なくとも第二壁部３２側、少なくとも第一壁部３１側となっている。よってｙ軸方向において、第一コア６は弾性的に保持された状態となっている。また図９に示される状態で第一コア６が第一支持片３１Ｂ、３１Ｃと第二支持片３２Ｂ、３２Ｃとにより保持されるときに、第一接触面３１Ｄ、３１Ｅ及び第二接触面３２Ｄ、３２Ｅが第一コア６と面接触して保持するため、各支持片により安定して第一コア６が保持される。第二コア７も第一コア６と同様に第二ケース部４内に保持されている。
【００３９】
図９に示されるように、ケーブル９を第一コア溝６ａ（図４）に配置して、ヒンジ２Ａ、２Ｂ（図５）を支点として第二ケース部４を第一ケース部３側に回動させて、第一掛止爪部４９Ａ及び第二掛止爪部４９Ｂを第一掛止貫通孔３９ａ及び第二掛止貫通孔３９ｂに掛止し、凸部３９Ｃを凹部４９ｃに挿入してケース２を閉じた状態とする。このことで、第一コア６の第一コア第一面６Ａ（図４）と第二コア７の第二コア第一面７Ａとが当接し、第一コア６の第一コア第二面６Ｂ（図４）と第二コア７の第二コア第二面７Ｂ（図４）とが当接する。
【００４０】
この場合に、第一コア６は、第一コア押さえ片３３Ａ、３３Ｂの付勢方向と反対方向に移動して、第一〜第四切り欠き６１ａ〜６１ｄにおける第一コア保持部材３６Ａ、３６Ｂ、第二コア保持部材３７Ａ、３７Ｂの掛止が解かれると共に、第二コア７も、第二コア押さえ片４３Ａ、４３Ｂの付勢方向と反対方向に移動して、第一〜第四切り欠き７１ａ〜７１ｄにおける第一コア保持部材４６Ａ、４６Ｂ、第二コア保持部材４７Ａ、４７Ｂの掛止が解かれる。この結果、第一コア６と第二コア７とを含むコア５は、ｚ軸方向においてケース２内で第一コア押さえ片３３Ａ、３３Ｂと第二コア押さえ片４３Ａ、４３Ｂにより弾性的に保持された状態となる。
【００４１】
第一コア６と第二コア７とは、上述したように、ｙ軸方向に弾性的に保持された状態である。よって図９に示されるようにノイズ吸収装置１がケーブル９に装着された状態では、コア５は、ｘ軸方向と直交する方向、即ちケーブル挿通方向と直交する方向において、ケース２内で弾性的に保持された状態となり、ノイズ吸収装置１にｙ軸方向、ｚ軸方向の何れの方向からの衝撃が加えられたとしても、その衝撃を吸収し、コア５の破損を防止することができる。
【００４２】
固定部材８は、ケース２を図示せぬ実装基板等に固定するためのものであり、図１に示されるように、外周倣い部８１と第１平板部８２と第２平板部８３とを備え、これらは金属板が折り曲げられることにより一体で構成されている。より具体的には、固定部材８は、略帯状をした略長方形状をした金属板の一端寄りの部分からその長手方向における中ほどの部分までが折り曲げられていない部分たる第１平板部８２を有している。
【００４３】
そして、当該中ほどの部分に相当する第１平板部８２の端部の部分からケース２の周面に倣って当該金属板は円弧状に折り曲げられた状態となっており、当該周面を略４分の３周ほど周回して折り曲げられたところから第１平板部８２に向かって、第１平板部８２の上面８２Ｄに垂直をなして接近しており、この部分は固定部材８の外周倣い部８１をなす。そして、その部分から更に略垂直に折り曲げられ、第１平板部８２と略平行をなして第１平板部８２に対向配置し、当該金属板の一端に対向する位置へ至るまで延出しており、この部分は固定部材８の第２平板部８３をなす。
【００４４】
従って外周倣い部８１は、ケース２の周面に倣ってケース２を周方向に環装し保持するように設けられている。また、第１平板部８２の一端８２Ａ（図２）は、ケース２の周方向における外周倣い部８１の一端８１Ａに一体で接続された状態となっている。また、第２平板部８３の一端８３Ａは、ケース２の周方向における外周倣い部８１の他端８１Ｂに一体で接続された状態となっている。第１平板部８２の図１に示される下面８２Ｃは、ノイズ吸収装置１が図示せぬ実装基板上に実装されたときに、図示せぬ実装基板の表面と略平行をなして対向可能である。また、第２平板部８３の図１に示される下面８３Ｃは、第１平板部８２の図１に示される上面８２Ｄと略平行をなして対向配置されている。ここで、略平行とは、第１平板部８２と第２平板部８３とが完全に平行な位置関係とされた後に、固定部材８を構成する金属の弾性により第１平板部８２と第２平板部８３との間が広げられて平行な位置関係から若干ずれた位置関係となることがあるが、このような位置関係となった場合をも含む意味である。従って、第１平板部８２と第２平板部８３とが完全に平行な位置関係とされた状態を含む。
【００４５】
第１平板部８２には、図１に示されるように第１貫通孔８２ａが形成されている。第１貫通孔８２ａは、図１に示される第１平板部８２の下面８２Ｃ及び上面８２Ｄに垂直をなす方向、即ち図示せぬ実装基板上に実装したときに実装基板の表面に垂直をなす方向へ貫通方向が指向する。同様に第２平板部８３には第２貫通孔８３ａが形成されている。第２貫通孔８３ａは、図１に示される第２平板部８３の下面８３Ｃ及び上面８３Ｄに垂直をなす方向、即ち図示せぬ実装基板上に実装したときに実装基板の表面に垂直をなす方向へ貫通方向が指向している。
【００４６】
第１貫通孔８２ａ及び第２貫通孔８３ａは、図１に示されるように、貫通方向に垂直な面で切った断面がそれぞれ円形をなしており、第１貫通孔８２ａの直径は第２貫通孔８３ａの直径より大きく、第２貫通孔８３ａと第１貫通孔８２ａとは略同軸的な位置関係をなす。ここで略同軸的な位置関係とは、固定部材８を構成する金属の弾性により、第１平板部８２と第２平板部８３とが略平行な位置関係を維持した状態で第１平板部８２に対して第２平板部８３が若干ずれた位置関係となることがあり、このとき第２貫通孔８３ａと第１貫通孔８２ａとは完全に同軸的な位置関係ではなくなり若干ずれた位置関係となるが、このような位置関係をも含むことを意味する。従って、第２貫通孔８３ａと第１貫通孔８２ａとが完全に同軸的な位置関係となることも含む。第１貫通孔８２ａ及び第２貫通孔８３ａには、図１の上方から図示せぬネジを螺合させてゆき、図１の第１平板部８２の下側に配置された図示せぬ実装基板に予め形成された穴に当該図示せぬネジを螺合させることにより、固定部材８を図示せぬ実装基板に固定することができるように構成されている。
【００４７】
第１貫通孔８２ａ、第２貫通孔８３ａの貫通方向に垂直の面で切った断面はそれぞれ円形をなし、第１貫通孔８２ａの直径は第２貫通孔８３ａの直径より大きいため、第１貫通孔８２ａの軸心位置と第２貫通孔８３ａの軸心位置とが若干ずれた場合であっても、第２貫通孔８３ａの側であって第２貫通孔８３ａの軸方向から見た場合に、第２貫通孔８３ａ全体が第１貫通孔８２ａの一部と重なった状態を維持することができ、ネジを第１貫通孔８２ａ及び第２貫通孔８３ａに容易に挿入することができる。
【００４８】
第１平板部８２の他端８２Ｂ部分、即ち、固定部材８を構成する金属板の一端には、図１に示されるように、略コの字状に第１平板部８２の上方に延出する係止部８４が設けられている。係止部８４の略コの字状の内周側には、第２平板部８３の他端８３Ｂ部分、即ち、固定部材８を構成する金属板の他端が一時的に係止可能である。
【００４９】
このように係止部８４が設けられているため、第２平板部８３の他端８３Ｂ部分を第１平板部８２の他端８２Ｂ部分に係止しておくことで、ケース２を固定部材８によって保持しようとして固定部材８に対して外部から力を作用させなくとも、固定部材８からケース２が脱落しない程度にケース２を固定部材８によって保持することができる。
【００５０】
固定部材８の部分であって外周倣い部８１に接続されている第１平板部８２の一端８２Ａ部分には、一対の軸方向延出部８５、８６が設けられている。軸方向延出部８５、８６は、ケース２の軸方向一端及び他端に向かって、即ち図３の左右方向に向かってそれぞれ帯状に延出しており、軸方向延出部８５、８６の延出端には、ノイズ吸収装置１の側方視においてケース２の半径方向内方へ略長方形状をなして突出する一端部凸部８７、他端部凸部８８がそれぞれ設けられている。一端部凸部８７には、図１〜図３に示されるように固定部材８にケース２が保持されているときに、ケース２の軸方向の一端部を構成する第三端壁部４Ｂが当接可能であり、他端部凸部８８には、ケース２の軸方向の一端部を構成する第四端壁部４Ｃが当接可能である。
【００５１】
このように一端部凸部８７、他端部凸部８８が設けられているため、一端部凸部８７にケース２の第三端壁部４Ｂが当接し、他端部凸部８８に第四端壁部４Ｃが当接することにより、ケース２の軸方向における外周倣い部８１の所定の位置にケース２を位置決めすることができる。従って、当該所定の位置からずれた位置でケース２が外周倣い部８１に固定されてしまうことを防止することができる。
【００５２】
固定部材８は金属製であるため、振動や熱衝撃に強い固定部材８とすることができ、ノイズ吸収装置１を車載用として用いることを可能とすることができる。
【００５３】
また、ケース２の周面に倣ってケース２を環装し保持するように設けられた外周倣い部８１と、ケース２の周方向における外周倣い部８１の一端８１Ａに接続され図示せぬ実装基板の表面と略平行をなして対向可能であり、図示せぬ実装基板の表面に垂直をなす方向へ貫通方向が指向する第１貫通孔８２ａが形成された第１平板部８２と、ケース２の周方向における外周倣い部８１の他端８１Ｂに接続され第１平板部８２と略平行をなして対向配置され、第１貫通孔８２ａと略同軸的な位置関係をなす第２貫通孔８３ａが形成された第２平板部８３とを有するため、第１貫通孔８２ａ及び第２貫通孔８３ａに図示せぬネジを貫通させて、図示せぬ実装基板に予め形成されたネジ穴に図示せぬネジを螺合させることにより簡単に図示せぬ実装基板にノイズ吸収装置１を固定することができる。従って、比較的構造の簡単な固定部材８とすることができ、ノイズ吸収装置１全体の構成を簡単にすることができる。
【００５４】
更に、ケース２の周面に外周倣い部８１の内面が密着した状態のときに第１平板部８２と第２平板部８３との間に間隙が形成されるように設計することで、第１貫通孔８２ａ及び第２貫通孔８３ａに図示せぬネジを貫通させて、図示せぬ実装基板に予め形成されたネジ穴に図示せぬネジを螺合させたときに、第１平板部８２と第２平板部８３との間の間隙がなくなるように第１平板部８２と第２平板部８３とが互いに引き寄せられることにより、外周倣い部８１がケース２を締め付けて保持した状態とすることができる。
【００５５】
また、コアはケース２の軸心を含む平面で２分割可能な一対の第一コア６と第二コア７とからなる半割状をなし、第一コア６と第二コア７は互いに接触して組合されることにより環状をなし内周面はケーブル挿入通路を画成し、ケース２はケース２の軸心を含む平面で２分割可能な一対の第一ケース部３と第二ケース部４とからなり、ケース部はそれぞれ第一コア６と第二コア７とを収容するため、第一掛止片部３９Ａや第二掛止片部３９Ｂが破損した場合であっても、固定部材８によってケース２が環装され保持されているため、第一ケース部３、第二ケース部４が互いに外れて中に収容されている第一コア６と第二コア７が出てしまうことを防止することができる。
【００５６】
また、ケース２の軸方向に垂直な面で切ったケース２の外形は円形をなすため、振動や熱衝撃に強い構成とすることができる。
【００５７】
本発明によるノイズ吸収装置は、上記した実施の形態に限定されず、特許請求の範囲に記載された範囲で種々の変形や改良が可能である。例えば、ケースの周面には外周倣い部８１と略同一の幅の帯状の溝が形成され、外周倣い部８１が当該溝に嵌合するような構成としてもよい。このように嵌合することにより、ケースの軸方向における外周倣い部８１の所定の位置にケースを位置決めすることができる。
【００５８】
また、一端部凸部、他端部凸部の構成は本実施の形態のものに限定されない。例えば、図１０に示されるように、ノイズ吸収装置１０１の一端部凸部１８７、他端部凸部１８８は一対の軸方向延出部１８５、１８６の延出端にそれぞれ設けられるのではなく、軸方向延出部１８５、１８６の延出方向途中の位置に設けられてもよい。この場合には一端部凸部１８７、他端部凸部１８８に対向するケース１０２の図１０に示される底部には、一端部凸部１８７、他端部凸部１８８がそれぞれ係合可能な係合穴１０２ａ、１０２ａがそれぞれ形成されていればよい。図１０に示されるように係合穴１０２ａ、１０２ａに一端部凸部１８７、他端部凸部１８８がそれぞれ係合することにより、ケース１０２の軸方向における外周倣い部８１の所定の位置にケース１０２を位置決めすることができる。
【００５９】
また、ケース、コア、外周倣い部の形状は本実施の形態のものに限定されない。例えば、ケース２は略円筒形状をなしていたが、略角柱形状をなしてもよく、この場合には、外周倣い部もケースの略角柱形状に倣った形状とすればよい。また、係止部は本実施の形態のものに限定されず、第２平板部の他端部分を一時的に第１平板部の他端部分に係止可能であればよい。
【図面の簡単な説明】
【００６０】
【図１】本発明の実施の形態によるノイズ吸収装置の斜視図。
【図２】本発明の実施の形態によるノイズ吸収装置の側面図。
【図３】本発明の実施の形態によるノイズ吸収装置の背面図。
【図４】本発明の実施の形態によるノイズ吸収装置のケース及びコアの分解斜視図。
【図５】本発明の実施の形態によるノイズ吸収装置ケースの展開平面図。
【図６】本発明の実施の形態によるノイズ吸収装置のケースのｙ−ｚ平面での展開断面図。
【図７】本発明の実施の形態によるノイズ吸収装置のケースにコアを収容した状態を示す展開斜視図。
【図８】本発明の実施の形態によるノイズ吸収装置のケースにコアを収容した状態におけるｙ−ｚ平面での展開断面図。
【図９】本発明の実施の形態によるノイズ吸収装置にケーブルを挿通した状態を示す斜視図。
【図１０】本発明の実施の形態によるノイズ吸収装置の変形例の背面図。
【符号の説明】
【００６１】
１          ノイズ吸収装置
２          ケース
３          第一ケース部
４          第二ケース部
５          コア
６          第一コア
７          第二コア
８          固定部材
８１        外周倣い部
８１Ａ、８２Ａ、８３Ａ            一端
８１Ｂ、８２Ｂ、８３Ｂ            他端
８２        第１平板部
８２Ｃ、８３Ｃ                    下面
８２Ｄ、８３Ｄ                    上面
８２ａ      第１貫通孔
８３        第２平板部
８３ａ      第２貫通孔
８４        係止部
８７        一端部凸部
８８        他端部凸部
【図１】
2010153731.tif 000003
【図２】
2010153731.tif 000004
【図３】
2010153731.tif 000005
【図４】
2010153731.tif 000006
【図５】
2010153731.tif 000007
【図６】
2010153731.tif 000008
【図７】
2010153731.tif 000009
【図８】
2010153731.tif 000010
【図９】
2010153731.tif 000011
【図１０】
2010153731.tif 000012